(57)【要約】【課題】差込サブアセンブリを、そのプラグが確実に接続され、かつ損傷を生じないようにサブアセンブリ支持体内に差し込むことができるようにする。【解決手段】差込サブアセンブリ４は、前面パネル６と、差込サブアセンブリ４の前面領域に揺動可能に支持されグリップアーム１４を有する引き離しレバーグリップ７とを有しており、引き離しレバーグリップ７がサブアセンブリ支持体１の前側の形材レール８に係合することによって、サブアセンブリ支持体１内に差し込まれ、それから引き出される。引き離しレバーグリップ７のグリップアーム１４は、差込サブアセンブリ４が差し込まれた状態の時に前面パネル６に付着して引き離しレバーグリップ７をその目標最終位置に固定する弾性的な舌部１６を有している。【選択図】図４
2007173829.tif 000002
【特許請求の範囲】
【請求項１】
少なくとも１つの前側の形材レール（８）を有するサブアセンブリ支持体（１）内へ差し込まれ、該サブアセンブリ支持体（１）から引き出される差込サブアセンブリであって、
前面パネル（６）と、
前記差込サブアセンブリ（４）の前面領域に揺動可能に支持されグリップアーム（１４）を有する引き離しレバーグリップ（７）と、
を備える差込サブアセンブリにおいて、
前記引き離しレバーグリップ（７）の前記グリップアーム（１４）は、前記差込サブアセンブリ（４）が差し込まれた状態の時に前記前面パネル（６）に付着する弾性的な舌部（１６）を有しており、それによって、前記引き離しレバーグリップ（７）はその目標最終位置に固定されることを特徴とする差込サブアセンブリ。
【請求項２】
前記舌部（１６）は、弾性的に変形可能な材料から作られている、請求項１に記載の差込サブアセンブリ。
【請求項３】
前記舌部（１６）の自由端と前記グリップアーム（１４）との間に隙間（１７）が形成されており、それによって、前記グリップアーム（１４）を、その前記目標最終位置を越えて前記隙間（１７）の大きさ分だけ前記前面パネル（６）の方向へ差し込むことができる、請求項１または２に記載の差込サブアセンブリ。
【請求項４】
前記舌部（１６）は前記前面パネル（６）に磁気的に付着する、請求項１から３のいずれか１項に記載の差込サブアセンブリ。
【請求項５】
前記引き離しレバーグリップ（７）が前記目標最終位置にある時に前記舌部（１６）の自由端の領域に配置される磁化可能な突出したストッパ（２１）が前記前面パネル（６）に形成されており、前記舌部（１６）の、少なくとも前記自由端は強磁性材料から作られている、請求項１から４のいずれか１項に記載の差込サブアセンブリ。
【請求項６】
前記舌部（１６）はその自由端の領域に、前記前面パネル（６）の後方に配置されたスイッチと接触する押圧ロッド（２２）を有している、請求項１から５のいずれか１項に記載の差込サブアセンブリ。
【請求項７】
前記舌部（１６）は波形に形成されている、請求項１から６のいずれか１項に記載の差込サブアセンブリ。
【発明の詳細な説明】
【技術分野】
【０００１】
本発明は、少なくとも１つの前側の形材レールを有しているサブアセンブリ支持体内に差し込まれ、サブアセンブリ支持体から引き出される差込サブアセンブリであって、前面パネルと、差込サブアセンブリの前面領域に支持されグリップアームを有する引き離しレバーグリップとを備える差込サブアセンブリに関する。
【背景技術】
【０００２】
差込サブアセンブリをサブアセンブリ支持体内へ差し込み、またはサブアセンブリ支持体から元通りに引き出すために、従来技術では、差し込み・引き出し装置が以前から知られている。差込サブアセンブリを差し込み、引き出すために、過去に様々な引き離しレバーグリップとレバーが開発されている。差し込み、引き出すために使う必要がある力は、現在では、差込サブアセンブリの裏面に配置され、サブアセンブリ支持体のいわゆるバックプレーンにある相応のプラグ接続部と接続されるプラグ接続部の極数に実質的に左右される。このようなプラグボードが有する極はますます多くなってきており、その結果、差し込み、引き出すために使う必要がある力はますます大きくなってきている。そのために、レバーおよび引き離しレバーグリップをますます頑丈に構成しなければならない。差込サブアセンブリの裏面に極数の多いプラグ接続部を用いることにより、差し込むための大きな力によって、差込サブアセンブリ全体の個別の構成要素が弾性変形させられる。
【発明の開示】
【発明が解決しようとする課題】
【０００３】
サブアセンブリ支持体への差込サブアセンブリの差し込みプロセスの時、引き離しレバーグリップのレバー移動距離は、差込サブアセンブリの前面領域に配置された前面パネル、または、別個のストッパによって制限される。引き離しレバーグリップのレバー移動距離が制限されることによって、多極のプラグ接続部において差し込みを行うための大きな力が得られないことがあるので、差し込みが完全には完了しない。その結果、差込サブアセンブリの弾性的なスプリングバック、または差込サブアセンブリの戻り変形が起こる。すると、差込サブアセンブリがサブアセンブリ支持体と同一平面上に並ばないことになり、すなわち、差込サブアセンブリとサブアセンブリ支持体の間に前面領域で目に見える隔たりが生じることになり、これは、サブアセンブリ支持体の保護作用にとって不都合である。
【０００４】
最近のサブアセンブリは、非作動状態でサブアセンブリ支持体内へ差し込まれる。完全に差し込まれた状態になった時に初めて、差込サブアセンブリに配置されたスイッチが動作させられることによって、サブアセンブリが作動状態に切り換えられる。差込サブアセンブリがサブアセンブリ支持体内へ完全に差し込まれないと、または、差込サブアセンブリのスプリングバックが起こると、スイッチは作動させられず、または良好に作動させられない。すなわち、差込サブアセンブリが作動状態に切り換わらず、または、スイッチのチャタリングが起こる可能性がある。
【０００５】
引き離しレバーグリップをその限度を越えて揺動させようと試みると、動きすぎのために、レバー、前面パネル、およびストッパに損傷が生じる場合があり、または個々の構成部材の変形が引き起こされる可能性がある。
【０００６】
遠隔通信の分野では、いわゆるＡＴＣＡレバーと呼ばれる、規格に適合したレバーを備える差込サブアセンブリが知られている。この差込サブアセンブリは、例えば前面領域に磁気的なストッパを付加的に有しており、差込サブアセンブリが差し込まれた状態で、金属から作られた引き離しレバーグリップがこのストッパに当接し、ストッパによってその目標位置に保たれる。裏面のプラグ接続部の、差し込むための力が大きいために差込サブアセンブリが完全には差し込まれず、やはりこの場合にも、差込サブアセンブリのスプリングバックや戻り変形が起こる。すると、レバーは磁石によっては最終位置に保たれない。正常な最終位置を越える揺動は、やはり、ストッパおよび／または差込サブアセンブリの損傷につながる。
【０００７】
そこで、本発明の目的は、従来技術の欠点を克服し、サブアセンブリ全体のスプリングバック、および差込サブアセンブリまたはレバーの損傷を防ぐために、ある程度大きめの移動(Uberhub)を可能とする引き離しレバーグリップを提供することにある。
【課題を解決するための手段】
【０００８】
この目的は、請求項１の特徴を備える差込サブアセンブリによって達成される。
【０００９】
少なくとも１つの前側の形材レールを有しているサブアセンブリ支持体内へ差し込まれ、サブアセンブリ支持体から引き出される差込サブアセンブリであって、前面パネルと、差込サブアセンブリの前面領域に揺動可能に支持されグリップアームを有する引き離しレバーグリップとを備える、本発明の差込サブアセンブリは、引き離しレバーグリップのグリップアームに弾性的な舌部を有している。この舌部は、差込サブアセンブリが差し込まれた状態の時に前面パネルに付着し、それによって、引き離しレバーグリップはその目標最終位置に固定される。グリップアームの弾性的な舌部は、ばね作用を生じるように構成されている。この舌部を、ばね舌部として構成することもできる。それによって、舌部が緩衝特性も有し、その結果、引き離しレバーグリップに作用する力が完全にではなく、弾性的な舌部により弱められた強さでのみ、差込サブアセンブリへ伝達される。引き離しレバーグリップに弾性的な舌部を形成することによって、引き離しレバーグリップがその目標最終位置を越えてさらに揺動することが可能となる。このようにして、差込サブアセンブリに作用する大きすぎる力による損傷が、高い信頼性で回避される。
【００１０】
グリップアームの弾性的な舌部によって、引き離しレバーグリップがその目標最終位置を越えて最大の最終位置へ揺動させられた後、引き離しレバーグリップがその目標最終位置へスプリングバックすることも可能になる。すなわち、このように大きめに動かした後、引き離しレバーグリップは目標最終位置へ自動的に戻るように動く。この時、弾性的な舌部は、前面パネルに常に付着したままとなる。したがって、引き離しレバーグリップは目標最終位置に固定される。
【００１１】
舌部は、弾性的に変形可能な材料から作られるのが好ましい。引き離しレバーグリップの舌部に力が伝わると、この材料が弾性的に変形する。それによって、舌部と、弾性的でなくてもよい引き離しレバーグリップとの間を固定するように結合させることができる。
【００１２】
材料の適切な選択によって決まる、レバーの弾性的なスプリングバック特性は、引き離しレバーグリップが、大き目の移動の後で自動的にその目標最終位置にばね作用によって戻るように選択される。その後、引き離しレバーグリップはこの位置に安定して保持される。サブアセンブリ支持体に衝撃や振動が加わった場合にも同じことが当てはまり、したがって、サブアセンブリ支持体への衝突が起こった時でも、引き離しレバーグリップはその目標最終位置に固定された状態に確実に保たれる。
【００１３】
レバーと舌部の寸法を適切に選択することによって、優先的に操作方向に曲がりやすくすることができ、一方、引き離しレバーグリップは、横方向には十分に曲がりにくいままとなる。
【００１４】
代わりに、または加えて、舌部と引き離しレバーグリップまたはグリップアームとの間に弾性的な結合部を形成することもできる。このような種類の結合部は、例えば、ばね継手によって実現できる。この場合、舌部は剛性の材料、または弾性の低い材料から作ることもできる。
【００１５】
本発明による差込サブアセンブリの有利な実施態様では、舌部の自由端とグリップアームとの間に隙間が形成されている。それによって、グリップアームまたは引き離しレバーグリップを、この隙間の大きさ分だけ、引き離しレバーグリップの目標最終位置を越えて前面パネルの方向へ差し込むことができる。弾性的な舌部によって、グリップアームがばね作用により舌部の自由端に押し付けられるまで、引き離しレバーグリップを、目標最終位置を越えてさらに揺動させることが可能になる。この時、舌部は、前面パネルに当接または付着したままに保たれる。舌部が当接する前面パネルには、引き離しレバーグリップのグリップアームによって及ぼされる力が干渉され、弱められて伝えられる。グリップアームが舌部に当接した時に初めて、グリップアームによって及ぼされる力は、差込サブアセンブリの前面パネルへ完全に伝えられ、引き離しレバーグリップのレバー移動距離が制限される。
【００１６】
舌部の自由端とグリップアームの間の隙間は、舌部がグリップアームと実質的に平行になるように形成されているのが好ましい。舌部とグリップアームの間の隙間は、グリップアームにスリットを形成することによって、簡単なやり方で形成することができる。これは、例えば鋸引きまたはレーザー切断によって行うことができる。
【００１７】
舌部とグリップアームの間の隙間を適切に選択することによって、大きめに動かすことができる量、すなわち、目標最終位置を越えるグリップアームの移動量が決められる。この隙間は約０．２から２．０ｍｍの大きさを有しており、０．５ｍｍから１．０ｍｍ程度の、大き目の移動が可能になるように寸法を決められているのが好ましい。この隙間の幅は、差込サブアセンブリの裏面上に配置されたプラグを、バックプレーンのプラグ接続部へ確実に差し込むことができるようにするのに十分である。
【００１８】
舌部とグリップアームの間の隙間を適切に構成することによって、引き離しレバーグリップの誤操作や、差込サブアセンブリおよび／または引き離しレバーグリップの損傷を防ぐことができる。
【００１９】
引き離しレバーグリップの舌部は前面パネルへ磁気的に付着するのが好ましい。それによって、引き離しレバーグリップがその位置を簡単なやり方で保持される。しかも、磁石による結合保持によれば、同時に、容易に外すことも可能になる。引き離しレバーグリップをグリップアームの所でつかんだ操作者は、舌部と前面パネルの間の磁力に打ち勝てばよく、そうすれば、引き離しレバーグリップを前面パネルから離れるように揺動させることができ、それによって、サブアセンブリ支持体上の差込サブアセンブリを取り出し、すなわち引き出すことができる。機械的なロック部、追加のレバーまたは突起を操作する必要はない。したがって、引き離しレバーグリップをその目標最終位置から外すのが非常に容易である。それと同時に、磁気結合によって、レバーが目標最終位置に確実に保持されるのが保証される。
【００２０】
本発明による差込サブアセンブリの有利な実施態様では、前面パネルに、磁化可能な突出したストッパが形成されている。このストッパは、引き離しレバーグリップがその目標最終位置にある時に舌部の自由端が配置される領域に配置されている。この場合、少なくとも、舌部の自由端は、強磁性材料から作られている。
【００２１】
この実施態様によって、引き離しレバーグリップがその目標最終位置にある時、舌部の自由端が磁石のストッパに当接し、このストッパによって保持される。当然ながら、舌部全体または引き離しレバーグリップ全体を強磁性材料から作ることもできる。この場合、鉄を含んでいる鋼材または合金鋼が適している。
【００２２】
突出したストッパを、小型の磁石として構成することもできる。ストッパの大きさ、および磁化可能材料の選択によって、舌部とストッパの間の磁気結合の保持力が決まる。ストッパは、前面パネルにノーズまたは小さなボタンの形状に形成されていてよい。このストッパを、例えば前面パネルに設けられたねじ穴にねじ止めすることができる。また、ストッパを溶接し、または他のやり方で前面パネルと結合することもできる。突出したストッパは、引き離しレバーグリップがその目標最終位置で前面パネルと実質的に平行に延びるように、引き離しレバーグリップの形状を選択できるという利点を有している。ストッパの大きさによって決まる、引き離しレバーグリップと前面パネルの間の間隔によって、利用者が引き離しレバーグリップを容易に操作することができるように隙間が形成される。
【００２３】
当然ながら、前面パネルのストッパを、鉄を含む材料または強磁性材料から作り、舌部の、少なくとも自由端を磁化可能材料または磁性材料から作ることもできる。
【００２４】
舌部はその自由端の領域に、前面パネルの後方に配置されたスイッチと接触する押圧ロッドを有しているのが好ましい。グリップアームの舌部に押圧ロッドを配置することによって、引き離しレバーグリップがその目標最終位置に達すると直ぐに、配線基板が作動状態に切り換えられることが保証される。舌部の弾性のために、引き離しレバーグリップに及ぼされる力は、緩衝されてのみ押圧ロッドへ、したがって配線基板のスイッチへと伝えられる。したがって、差込サブアセンブリをサブアセンブリ支持体内へ差し込む時に、スイッチが損傷または破損から確実に保護されるのが保証され、同時に、スイッチが確実に接触されて動作させられた状態に維持される。
【００２５】
サブアセンブリ支持体から差込サブアセンブリを引き出す時、スイッチは、舌部がその目標最終位置から動かされると直ぐに、差込サブアセンブリが非作動状態になるように、同様に押圧ロッドにより切り換えられる。舌部と、差込サブアセンブリの前面パネルのストッパとの間が磁気的に保時結合される場合、この磁気的な結合が外れた時に、すなわち磁気的な保持力が降伏させられた時に、サブアセンブリが非作動状態に切り換えられる。
【００２６】
グリップアームの舌部の所の押圧ロッドが、前面パネルの後方に配置されたスイッチと接触できるようにするために、前面パネルは、切欠き、すなわち切抜きを有しており、それによって、押圧ロッドはこの切欠きを通って差込サブアセンブリの内部空間へ入り込むことができる。
【００２７】
本発明による差込サブアセンブリの有利な他の態様では、引き離しレバーグリップの舌部は波形に形成されている。舌部を波形に形成することによって、その柔軟性が高められる。それによって、引き離しレバーグリップをその目標最終位置を越えて動かすのがいっそう容易になる。大きめの移動をより簡単に実行できるようになる。同時に、引き離しレバーグリップに生じる力がいっそう大きく緩衝される。前面パネルや差込サブアセンブリの損傷が、非常に高い信頼性で回避される。
【００２８】
特に、引き離しレバーグリップの舌部に、差込サブアセンブリのスイッチを作動させるための押圧ロッドが配置されている場合、舌部を波形に形成するのが非常に好ましいことが実証されている。舌部を容易に曲げることができるので、スイッチに及ぼされる力が明らかに弱くなる。このようにして、スイッチが特に高い信頼性で損傷から保護される。
【発明を実施するための最良の形態】
【００２９】
次に、本発明の実施の形態について図面を参照して説明する。
【００３０】
図１には、サブアセンブリ支持体１が示されており、サブアセンブリ支持体１はその裏側領域に裏側配線プレート２を含んでいる。裏側配線プレート２には、プラグボード３が配置されている。差込サブアセンブリ４はその裏側にプラグ５を有しており、プラグ５は、差込サブアセンブリ４が差し込まれた状態の時にプラグボード３とプラグ接続される。
【００３１】
差込サブアセンブリ４は、その前側領域に前面パネル６を有している。前面パネル６の上側と下側の角には、引き離しレバーグリップ７がそれぞれ配置されている。差込サブアセンブリ４をサブアセンブリ支持体１内に差し込み、サブアセンブリ支持体１から引き出すために、引き離しレバーグリップ７はサブアセンブリ支持体１の前側の形材レール８に係合する。
【００３２】
図２には、差込サブアセンブリ４の前側下方の角が、引き離しレバーグリップ７と共に詳細に示されている。差込サブアセンブリ４の下側の角には、取付アダプタ９が配置されている。取付アダプタ９はねじの形態のピボット軸受１０を有しており、このピボット軸受１０を中心として、引き離しレバーグリップ７が揺動可能である。このねじによって、取付アダプタ９は、差込サブアセンブリ４の前面パネル６および配線基板１１に固定されている。
【００３３】
引き離しレバーグリップ７は、その下側の、ピボット軸受１０の近くの端部が、けづめ１２のように形成されている。けづめ１２は、差込サブアセンブリ４がサブアセンブリ支持体１内へ完全に差し込まれた時に、形材レール８に係合する。引き離しレバーグリップ７は、けづめ１２と平行に、差込サブアセンブリ４と反対のほうに向けられた押離し肩部１３を有している。押離し肩部１３から、グリップアーム１４が上方に向かって延びている。
【００３４】
グリップアーム１４は、その上側端部に、末端が差込サブアセンブリ４から離れるように少し傾いている先端部１５を有しており、グリップアーム１４は、この先端部１５の所で利用者によってつかまれて操作される。グリップアーム１４の中央領域には、グリップアーム１４と平行に延びる舌部１６が配置されている。舌部１６とグリップアーム１４の間には、隙間１７が形成されている。舌部１６は、その下側端部でグリップアーム１４に取り付けられている。舌部１６とグリップアーム１４の突出部２０との間に間隔１９が形成されるように、舌部１６の自由端１８はグリップアーム１４から間隔をおかれている。それによって、舌部１６はその自由端１８の所で弾性的に可動である。舌部１６の、弾性による可動性は、一方の方向へは、隙間１７の幅によって制限されている。
【００３５】
前面パネル６には、引き離しレバーグリップ７が前面プレート６と平行な目標最終位置へ揺動させられたときに舌部１６の自由端１８が配置される領域に、ストッパ２１が配置されている。ストッパ２１は前面パネル６にねじ止めされており、いくらか突出している。引き離しレバーグリップ７がその目標最終位置へ揺動させられると、舌部１６はストッパ２１に当接する。
【００３６】
ストッパ２１は磁石として構成されている。舌部１６の自由端１８は、強磁性材料から作られている。したがって、引き離しレバーグリップ７は、ストッパ２１と舌部１６の間の磁気結合によって、その目標最終位置に固定される。
【００３７】
図３は、引き離しレバーグリップ７の舌部１６が押圧ロッド２２を有している、引き離しレバーグリップ７の他の実施形態を示している。舌部１６の自由端１８の領域に配置された押圧ロッド２２は、舌部１６に対して直角に配置されている。押圧ロッド２２は約１０から１５ｍｍの長さである。この押圧ロッド２２は、差込サブアセンブリ４を作動状態または非作動状態に切り換えるために、差込サブアセンブリ４上のマイクロスイッチ２４を動作させる働きをする。
【００３８】
図４には、引き離しレバーグリップ７がその目標最終位置にある時の、差込サブアセンブリ４の前方下側の角が引き離しレバーグリップ７および押圧ロッド２２と共に示されている。この時、差込サブアセンブリ４は、サブアセンブリ支持体１内に完全に差し込まれており、引き離しレバーグリップ７は、前面パネル６と実質的に平行に向けられている。
【００３９】
前面パネル６は切欠き２３を有しており、この切欠き２３を通って押圧ロッド２２が、前面パネル６の後方の内部空間内に延びている。差込サブアセンブリ４の配線基板１１上にはマイクロスイッチ２４が配置されている。差込サブアセンブリ４がサブアセンブリ支持体１内へ完全に差し込まれた時に、差込サブアセンブリ４が作動状態に切り換えられ、差込サブアセンブリ４がサブアセンブリ支持体１から引き出されると直ぐに、非作動状態に切り換えられるように、押圧ロッド２２によってマイクロスイッチ２４が動作させられる。
【００４０】
差込サブアセンブリ４の前面パネル６には、切欠き２３の上方にストッパ２１が配置されている。引き離しレバーグリップ７がその目標最終位置にあり、すなわち、グリップアーム１４が前面パネル６と平行に向けられているので、ストッパ２１に舌部１６の自由端１８が当接している。ストッパ２１は磁石として構成されている。舌部１６の自由端１８は強磁性材料から作られており、その結果、ストッパ２１と舌部１６の間に磁気的な保持力が発生して、引き離しレバーグリップ７はその位置に保たれる。
【００４１】
引き離しレバーグリップ７を、その目標最終位置から揺動させて前面パネル６から離すためには、ストッパ２１と舌部１６の間の磁気的な保持力に打ち勝つ必要がある。引き離しレバーグリップ７の揺動運動の開始時には、グリップアーム１４が、小さい角度αだけ鉛直方向からずらされるように動かされる。この時、舌部１６が、磁石であるストッパ２１によってその位置に保たれるので、舌部１６は弾性的に変形する。舌部１６とグリップアーム１４の間の隙間１７は、舌部１６の自由端１８の領域で広くなる。そして、引き離しレバーグリップ７をさらに動かす時、ストッパ２１と舌部１６の間の磁気的な保持力が降伏させられる。舌部１６はストッパ２１から離れ、引き離しレバーグリップ７は水平方向へと揺動させられ、差込サブアセンブリ４がサブアセンブリ支持体１から引き出される。利用者は、他のロック部やロック解除部を操作する必要がない。引き離しレバーグリップ７を容易に操作することができるが、同時に、引き離しレバーグリップ７はその目標最終位置に確実に高い信頼性で固定される。
【００４２】
図５は、引き離しレバーグリップ７がその目標最終位置を越えて前面パネル６の方向へ揺動させられた時の差込サブアセンブリ４を引き離しレバーグリップ７と共に示している。この時、引き離しレバーグリップ７のグリップアーム１４は、鉛直方向に対して角度αだけ揺動させられている。
【００４３】
引き離しレバーグリップ７が目標最終位置を越えて揺動している間、引き離しレバーグリップ７またはグリップアーム１４に及ぼされる力は、図５に示す最大の最終位置に達するまで、弾性的に構成された舌部１６によって緩衝される。この時、舌部１６は、ストッパ２１に常に当接したままである。舌部１６とグリップアーム１４の間の隙間１７は、グリップアーム１４が舌部１６の自由端１８に当接するまで狭められる。このようにして、目標最終位置を越えた揺動中に、前面パネル６や差込サブアセンブリ４が損傷するのが高い信頼性で防止される。また、グリップアーム１４に及ぼされる力は、押圧ロッド２２、および配線基板１４上の、押圧ロッド２２によって動作させられるマイクロスイッチ２４には伝達されない。したがって、マイクロスイッチ２４は、強すぎる力から確実に保護される。
【００４４】
引き離しレバーグリップ７の揺動運動は、舌部１６によって制限される。この揺動運動は、隙間１７の幅に応じた分しか、目標最終位置を越えて行わせることができない。引き離しレバーグリップ７を大き目に動かすことによって、確実に高い信頼性で、差込サブアセンブリ４がサブアセンブリ支持体１内に位置決めされて、差込サブアセンブリ４のプラグ５と、サブアセンブリ支持体１の裏側配線プレート２の所のプラグボード３との間のプラグ接続が行われる。そのために、隙間１７の幅は０．２から２．０ｍｍで十分であり、０．５ｍｍから１．０ｍｍであるのが好ましい。
【００４５】
引き離しレバーグリップ７が追加の力によって、目標最終位置を越えて前面パネル６の方向へ押されなくなると直ぐに、グリップアーム１４は弾性的な舌部１６によって前面パネル６から離れるように動かされる。このプロセスは、舌部１６が弾性的に構成されているために行われる。すなわち、引き離しレバーグリップ７は、ばね作用によって、図４に示すように、目標最終位置へ戻るように動かされる。しかし、引き離しレバーグリップ７のこのスプリングバック作用は、サブアセンブリ支持体１内での差込サブアセンブリ４の位置決めには何ら影響を及ぼさず、したがって、差込サブアセンブリ４は差し込まれた状態のままにとどまる。舌部１６もその位置にとどまり、したがって、マイクロスイッチ２４が依然として押圧ロッド２２によって作動されているので、差込サブアセンブリ４は作動状態に切り換わったままとなる。
【００４６】
図６は、引き離しレバーグリップ７のさらに他の実施形態を示している。この引き離しレバーグリップ７では、グリップアーム１４と平行に配置された舌部１６が波形に形成されている。この場合、特に、舌部１６の、引き離しレバーグリップ７への舌部１６の取付部と押圧ロッド２２との間の領域が波形に形成されている。このようにして、舌部１６のいっそう高い柔軟性が得られる。引き離しレバーグリップ７に及ぼされる力は、いっそう強く緩衝される。引き離しレバーグリップ７をいっそう容易に、目標最終位置を超えて差込サブアセンブリの方向へ揺動させることができる。差込サブアセンブリ４とサブアセンブリ支持体１の間をプラグ接続させるのがいっそう容易になる。
【００４７】
舌部１６の自由端１８は波形に形成されていない。この領域では、舌部１６はまっすぐであり、それによって、舌部１６の自由端１８を、確実に高い信頼性で、差込サブアセンブリ４のストッパ２１に付着させることができ、舌部１６と差込サブアセンブリ４の間に所望の保持力が生じる。
【図面の簡単な説明】
【００４８】
【図１】差込サブアセンブリと共にサブアセンブリ支持体を示す縦断面図である。
【図２】図１の差込サブアセンブリの下側前方の角を、引き離しレバーグリップと共に示す詳細図である。
【図３】引き離しレバーグリップの他の実施形態を示す図である。
【図４】図３の引き離しレバーグリップを備える差し込まれた状態の差込サブアセンブリの下側の角を示す詳細図である。
【図５】大き目に動かされた位置にある差込サブアセンブリの前方下側の角を示す詳細図である。
【図６】引き離しレバーグリップのさらに他の実施形態を示す図である。
【符号の説明】
【００４９】
１    サブアセンブリ支持体
２    裏側配線プレート
３    プラグボード
４    差込サブアセンブリ
５    プラグ
６    前面パネル
７    引き離しレバーグリップ
８    形材レール
９    取付アダプタ
１０    ピボット軸受
１１    配線基板
１２    けづめ
１３    押離し肩部
１４    グリップアーム
１５    先端部
１６    舌部
１７    隙間
１８    自由端
１９    間隔
２０    突出部
２１    ストッパ
２２    押圧ロッド
２３    切欠き
２４    マイクロスイッチ
【図１】
2007173829.tif 000003
【図２】
2007173829.tif 000004
【図３】
2007173829.tif 000005
【図４】
2007173829.tif 000006
【図５】
2007173829.tif 000007
【図６】
2007173829.tif 000008